(57)【特許請求の範囲】
【請求項１】
通路を形成する床板の幅端に沿い間隔をおいて起立姿勢でもって配列される複数本の支柱と、この支柱の相互間に差し渡され、枢軸を介して各支柱に揺動可能に連結する複数本の横桟とを備え、
前記支柱を、前記床板の踏面よりも下方に設けられ、かつ、該床板の幅方向に沿う軸芯を有する軸部に傾倒、起立可能に連結し、
前記支柱および横桟を、前記床板を挟んでその両幅端に対向配置し、対向する少なくとも１組の支柱を、前記床板よりも下側において連接棒を介して接続したことを特徴とする安全柵。
【請求項２】
前記支柱は、その最下端にカウンターウエイトを有することを特徴とする請求項１に記載した安全柵。
【請求項３】
前記通路の下部に、前記支柱の起立姿勢でもって前記カウンターウエイトに当接するストッパーを設けたことを特徴とする請求項２に記載した安全柵。
【請求項４】
前記通路の幅端に、前記支柱の起立姿勢でもって前記横桟の少なくとも１つに連係して該支柱の起立姿勢を維持する固定装置を設けたことを特徴とする請求項１〜３のいずれか１に記載した安全柵。
【請求項５】
前記固定装置は、前記横桟が、該固定装置に連係しているかどうかの視認を可能とするインジケーターを有することを特徴とする請求項４に記載した安全柵。
【請求項６】
前記支柱に、その引張りにより該支柱の傾倒、引き起こしをそれぞれ誘導するケーブルを設けたことを特徴とする請求項１〜５のいずれか１に記載した安全柵。
【発明の詳細な説明】
【技術分野】
【０００１】
本発明は、通路の側端（幅方向の端部）に設けられ、該通路に沿う歩行を誘導するための安全柵に関するものである。
【背景技術】
【０００２】
工場内に設けられている作業路や見学路等の歩行通路は、安全を確保する観点から通路の側端に安全柵が備えつけられているのが普通である。
【０００３】
上記の安全柵は、通路の幅端に沿い間隔をおいて起立姿勢で配列される複数本の支柱と、これら支柱の相互間に差し渡される横桟（上桟、中桟、蹴り板等）とで組み上げられ、それらの部材の交差部を溶接あるいはボルトによって連結、固定した頑強な構造からなっている。
【０００４】
しかし、クレーンで吊り上げた荷物を、例えば、通路を横切って運搬する作業を伴う場合において、柵の高さがクレーンによる荷物の吊り上げ高さよりも高いとき等は、該柵を、部分的あるいは全体的に解体する必要が生じ、効率的な作業が行えないという問題があった。
【０００５】
上記のような固定式の柵において生じていた従来の問題の解決を図ったものとして特許文献１には、折りたたみ式の柵体と、この柵体を折りたたみ状態で起設可能に固定収納するＵ字断面の収納ダクトと、該柵体の起設時に該起設姿勢を固定化させるセットピン機構とによって構成されたダブル吊クレーン用折りたたみ手摺が開示されている。
【０００６】
また、特許文献２には、複数の縦桟と横桟とを、それぞれピン結合して柵体を構成し、基盤に掘設した溝の底面に、該柵体の基端をピン結合して該柵体を溝より出没自在とし、該溝内に柵体を駆動する駆動機構を設けるとともに、該溝を覆う開閉自在な蓋を取付けた開閉柵が開示されている。
【先行技術文献】
【特許文献】
【０００７】
【特許文献１】実開昭５９−７１２７６号公報
【特許文献２】実開平１―１２９４４８号公報
【発明の概要】
【発明が解決しようとする課題】
【０００８】
ところで、上記文献１に開示の手摺は、柵体を折りたたんで収納することができるものではあるものの、該柵体を収納する収納ダクトは、そのまま床面に残されてしまうことから、場合によっては該ダクトが障害物となることも懸念され、従来生じていたような不具合を完全に解消するまでには至っていない。
【０００９】
一方、上記文献２に開示の開閉柵は、構造が複雑、大掛かりとなり、しかも、駆動機構の設置も不可欠であって設備コストの上昇が避けられない不具合がある。
【００１０】
そこで、本発明の目的は、簡素化された仕組みのもとで、簡便に展開、収納することが可能であり、しかも、収納に際しては、通路上に露出することなしにコンパクトに折り畳むことができる安全柵を提案するところにある
【課題を解決するための手段】
【００１１】
本発明は、通路を形成する床板の幅端に沿い間隔をおいて起立姿勢でもって配列される複数本の支柱と、この支柱の相互間に差し渡され、枢軸を介して各支柱に揺動可能に連結する複数本の横桟とを備え、前記支柱を、前記床板の踏面よりも下方に設けられ、かつ、該床板の幅方向に沿う軸芯を有する軸部に傾倒、起立可能に連結し、前記支柱および横桟を、前記床板を挟んでその両幅端に対向配置し、対向する少なくとも１組の支柱を、前記床板よりも下側において連接棒を介して接続したことを特徴とする安全柵である。
【００１２】
上記の構成からなる安全柵においては、
１）前記支柱の最下端にカウンターウエイト（釣合い錘、バランスウエイト）を設けること、
２）前記通路の下部に、前記支柱の起立姿勢でもって前記カウンターウエイトに当接するストッパーを設けること、
３）前記通路の幅端に、前記支柱の起立姿勢でもって前記横桟の少なくとも１つに連係して該支柱の起立姿勢を維持する固定装置を設けること、
４）前記固定装置に、前記横桟が、該固定装置に連係しているかどうかの視認を可能とするインジケーターを設けること、
さらに、
５）前記支柱に、該支柱の傾倒、引き起こしをそれぞれ誘導するケーブルを設けたこと、
が上記課題を解決するための手段としてとくに好ましい。
【発明の効果】
【００１３】
上記の構成からなる安全柵によれば、通路を形成する床板の幅端に沿って配列される複数本の支柱を、床板の踏面よりも下方に設けられ、かつ、該床板の幅方向に沿う軸芯を有する軸部に傾倒、起立（引き起こし）可能に連結したことにより、安全柵を収納すべく、該支柱を傾倒させたときに、該支柱は、横桟と共に床板の踏面よりも下側に位置し、床板上には障害物となるようなものは一切なくなる。
【００１４】
また、本発明の安全柵によれば、支柱と横桟とを枢軸を介して揺動可能に連結したリンク式構造としたため、支柱の押し倒し操作と引き起こし操作を行うだけの簡単な操作で安全柵を収納、展開することができる。
【００１５】
また、上記の構成からなる本発明によれば、支柱および横桟を、床板を挟んでその両幅端に対向配置し、対向する少なくとも１組の支柱を、該床板よりも下側において連接棒を介して接続することにより、任意の支柱の一つについて押し倒し、引き起こしを行うだけで安全柵の折り畳み、展開が可能となり、折り畳み、展開作業にかかる作業負荷の軽減、作業効率の向上が可能となる。
【００１６】
なお、本発明にかかる安全柵によれば、前記支柱の最下端にカウンターウエイトを設けることにより、安全柵の折り畳み、展開時の負荷を効果的に軽減することできる。
【００１７】
また、本発明にかかる安全柵によれば、上記のカウンターウエイトに当接するストッパーを設けることにより、安全柵を展開する際に、支柱を安定した姿勢で起立させることが可能となる。
【００１８】
さらに、本発明による安全柵によれば、前記通路の幅端に、前記支柱の起立姿勢でもって前記横桟の少なくとも１つに連係して該支柱の起立姿勢を維持する固定装置を設けることで、展開状態における支柱の不用意な倒れ込みを確実に回避することができる。
【００１９】
また、本発明にかかる安全柵によれば、前記横桟が、安全柵の展開状態で固定されているがどうかの視認ができるインジケーターを設けたため、安全性がより一層向上する。
【００２０】
本発明にかかる安全柵によれば、前記支柱に、その引張りにより該支柱の傾倒、引き起こしをそれぞれ誘導するケーブルを設けるようにしたため、安全柵の収納、展開を人手により簡単に行うことが可能となり、設備コストの軽減を図ることができる。
【図面の簡単な説明】
【００２１】
【図１】本発明に従う安全柵の正面を展開状態で示した図である。
【図２】図１の側面を示した図である。
【図３】図１に示した安全柵の収納状態（折り畳み状態）を示した図である。
【図４】（ａ）〜（ｄ）は、固定装置の構成を示した図である。
【図５】（ａ）〜（ｄ）は、固定装置の構成を示した図である。
【図６】図４、図５に示した固定装置の作動要領の説明図である。
【図７】係止片の外観形状を示した図である。
【図８】支柱の傾倒、引き起こし要領の説明図である。
【発明を実施するための形態】
【００２２】
以下、図面を用いて本発明をより具体的に説明する。
図１は、本発明に従う安全柵を、その正面について展開状態で示した図であり、図２は、図１の側面（通路正面側）を示した図であり、さらに、図３は、図１に示した安全柵の収納状態を示した図である。
【００２３】
図１〜３における符号１は、通路を形成する床板（紙面の左側を、通路入側端ということとし、右側を、通路出側端ということとする）。また、２は、床板１の幅端に沿い間隔をおいて起立姿勢でもって配列される支柱、３は、支柱２の相互間に差し渡される横桟である。
【００２４】
横桟３は、この例では、支柱２の上部に設けられた管状の上桟３ａと、該上桟３ａの下側に設けられた管状の中桟３ｂと、該中桟３ｂの下側に設けられた帯板状の蹴り板３ｃからなるものとして示してあり、いずれのものも枢軸４を介して支柱２に揺動可能に連結している（リンク機構を構成する）。
【００２５】
また、図における符号５は床板１の踏面１ａよりも下方において設けられた軸部である。この軸部５は、床板１の幅方向に沿う軸芯５ａを有しており、各支柱２は、軸部５を支点にして旋回可能になっている。これにより、該支柱２の傾倒、引き起こしを誘導することができる。
【００２６】
また、図中６は、対向する少なくとも１組の支柱２を、床板１よりも下側において接続する連接棒である（図２参照）。この連接棒６によって対向する支柱２を相互に接続しておくことにより、一回の操作で両側の安全柵を同時に折り畳んで収納、あるいは引き起こして展開することができるようになっている。
【００２７】
また、符号７は、支柱２の最下端に設けられ、安全柵を収納、展開する際に加える力を軽減するためのカウンターウエイト、８は、支柱２の起立姿勢でもってカウンターウエイト７に当接するストッパー、９は、床板１を支持する脚部、そして、１０、１１は、通路入側端および通路出側端にそれぞれ設けられ、支柱２の起立姿勢を保持するための固定装置である。
【００２８】
上記ストッパー８としては、一端が開放されたＵ字断面をなす溝型部材、あるいはＬ字断面をなすチャンネル部材を適用することが可能であり、該ストッパー８は、例えば、脚部９の梁部９ａ等に固定保持される。
【００２９】
本発明にしたがう安全柵は、図１、図２に示したように、その展開状態では、通路の幅端よりも外側への歩行あるいは移動を確実に阻止することができるようになっており、これにより、安全性が確保される。
【００３０】
一方、通路の上部を、荷物を吊ったクレーン等が横切る場合においては、図３に示すように、支柱２を傾倒させて、コンパクトに折り畳むことが可能であり、その際、折り畳まれた安全柵は、床板１の踏面１ａよりも下側に位置する。このため、床板１の上には、障害物となるようなものは一切なくなる。
【００３１】
図４、図５は、本発明に適用して好適な固定装置１０、１１の具体的構成をそれぞれ示した図であり、図６は、固定装置１０、１１の作動状況を示した図である。
【００３２】
通路入側端に配置される固定装置１０としては、図４に示すように、支柱２と同様の姿勢でもって起立する柱体１０ａと、この柱体１０ａに設けられる連係ロッド１０ｂ（柱体１０ａの長手方向に沿って昇降可能で、かつ、支柱３の起立姿勢でもって上桟３ａに連係、離脱可能になっている）と、柱体１０ａに設けられたブラケット１０ｃに着脱自在に保持され、支柱２の起立姿勢で上桟３ａの上部開孔に適合、離脱可能な連結ピン（閂）１０ｄと、連係ロッド１０ｂにつながり、通路出側端に設けられた操作ノブの押し込み、引き上げにより該連係ロッド１０ｂを昇降させるプッシュプルケーブル１０ｅとで構成される。
【００３３】
また、通路出側端に配置される固定装置１１としては、図５に示すように、前記支柱２と同様の姿勢でもって起立する柱体１１ａと、この柱体１１ａに設けられる連係ロッド１１ｂ（柱体１１ａの長手方向に沿って昇降可能で、かつ、支柱３の起立姿勢でもって上桟３ａの貫通開孔に適合、離脱可能になっている）と、柱体１１ａに設けられたブラケット１１ｃに着脱自在に保持され、支柱２の起立姿勢で上桟３ａの貫通開孔に適合する連結ピン（閂）１１ｄと、該連係ロッド１１ｂにつながり、通路入側端に設けられた操作ノブによる押し込み、引き上げにより該連係ロッド１１ｂを柱体１１ａの長手方向に沿って昇降させるプッシュプルケーブル１１ｅとで構成される。
【００３４】
上記柱体１０ａ、１１ａは、常時、起立姿勢に維持されるものであって、通路の上をクレーンが横切る場合であっても邪魔にならないところに配置される。
【００３５】
通路出側端を基準にして収納状態にある安全柵を展開するには、まず、支柱２の最下端に設けられたカウンターウエイト７がストッパー８に当接するまで支柱２を引き起こして該支柱２を起立姿勢に保持する。
【００３６】
次いで、図６に示す如く、柱体１１につき、ブラケット１１ｃに着脱自在に保持される連結ピン１１ｄを上桟３ａの貫通孔に差し入れて適合させると共に、操作ノブＡを押し込む。
【００３７】
操作ノブＡの押し込みにより、通路入側端に設けられた連係ロッド１０ｂは、柱体１０ａに沿って上昇し、上桟３ａに設けられた係止片（図７参照）に連係することとなり、これにより、支柱２はその姿勢のまま柱体１０ａにロックされる（支柱２の倒れ込みの防止）。
【００３８】
上記の操作を終えたのちにおいては、通路入側端において連結ピン１０ｄを、上桟３ａの貫通開孔に適合させると共に、該通路入側端の操作ノブＢの押し込みにより、通路出側端に位置する連係ロッド１１ｂを上昇させ、上桟３ａの貫通開孔に適合させて支柱２を柱体１１ａにロックすると共に、連結ピン１１ｄをブラケット１１ｃの貫通開孔に適合させればよく、これにより、支柱２は、通路の入側、出側において確実にロックされる。
【００３９】
なお、図４〜６に示す如く、連係ロッド１０ｂ、１１ｂの下端部にレバー１０ｂ１、１１ｂ１を設けておき、該連係ロッド１０ｂ、１１ｂが、それぞれ上桟３ａに連係した時点で、該レバー１０ｂ１、１１ｂ１を、連係ロッド１０ｂ、１１ｂとともに回動させて固定部位に位置せしめて支柱２をロックするようにしてもよい。
【００４０】
安全柵を折り畳んで収納するには、上記の逆手順に従えばよく、その際、操作ノブは、引き上げるように操作する。該操作ノブの引き上げにより連係ロッド１０ｂ、１１ｂが下降して支柱２のロックが解除される。
【００４１】
上記の構成からなる固定装置１０、１１は、手動による操作を可能とするものであり、設備の構造の簡素化、コストの軽減を図り得る利点がある。
【００４２】
なお、柱体１０ａ、１１ａには、図４〜図６に示すように、連係ロッド１０ｂ、１１ｂが上桟３ａに連係して支柱２がロックされたかどうか目視によって確認できるインジケーター１２を設けておくのが好ましい。
【００４３】
インジケーター１２としては、例えば、上端、下端を開放した筒状のケース（スリーブ）１２ａと、このケース１２ａにスライド可能に吊り下げ保持され、その外表面に着色等を施したスライダー１２ｂとで構成することができる。
【００４４】
上記の構成からなるインジケーター１２は、連係ロッド１０ｂ、１１ｂの軸芯に合致する上方位置に配置されるものであって、連係ロッド１０ｂ、１１ｂが上昇して上桟３ａに連係するときに、該連係ロッド１０ｂ、１１ｂの先端で、スライダー１２ｂが押し上げられる。かかるインジケーター１２によれば、スライダー１２ｂが押し上げられ、該ケース１２ａから露出したときその外表面に施された着色部分が見てとれるため、支柱２がロック状態にあるかどうか目視でもって確実に確認することが可能となる。
【００４５】
柱体１０ａ、１１ａに設けられた連係ロッド１０ｂ、１１ｂを、上桟３ａに連係させて支柱２をロックするに当たっては、該上桟３ａに貫通開孔を設け、その貫通開孔に連係ロッド１０ｂ、１１ｂを適合させればよいが、該上桟３ａに図７に示すような係止片ｈを別途設けておき、この係止片ｈの切り欠き凹所に連係ロッド１０ｂ、１１ｂの先端部を適合させるようにしてもよい。
【００４６】
また、本発明に従う安全柵は、図８に示すように、例えば、通路出側端に位置する支柱２につき、その上端部と、カウンターウエイト７にそれぞれ、ワイヤーロープやチェーン等からなるケーブル１３、１４を接続しておくことができる。
【００４７】
上記のケーブル１３、１４のうち、ケーブル１３を引っ張ることにより、支柱２が引き起こすことが可能となり、これにより安全柵は簡単に展開される。また、ケーブル１４を引っ張ることにより該支柱２を傾倒させることが可能ととなり、これにより、安全柵は簡単に収納される。
【００４８】
なお、安全柵の展開、収納するにあたっては、支柱２の、柱体１０ａ、１１ａに対するロックを解除したのちに行うことが前提となる。
【００４９】
図示した安全柵は、支柱２を通路入側端に向けて傾倒させる場合を例として示したが、該支柱２は通路出側端に向けて傾倒させるものであってもよいし、その両側に傾倒させることができるものであってもよく、この点については、限定されない。
【００５０】
支柱２を通路入側端、通路出側端の両方に傾倒させる構造を採用する場合には、ストッパー８の設置は省略される。
【００５１】
また、安全柵を通路の片側のみに設ける場合においては、対向位置に配設された支柱２同士をつなぐ軸部５の設置は省略される。
【００５２】
本発明においては、安全柵の折り畳み状態での支柱２の不要な起立を阻止するため、支柱２の傾倒姿勢で該支柱２をロックしておくこともできる。
【産業上の利用可能性】
【００５３】
本発明によれば、簡素化された構造のもとで簡便な操作により収納、展開することが可能な安全柵が提供できる。
【００５４】
また、本発明によれば、クレーン等による荷物の搬送作業においては、床板の踏面上に露出することなしにコンパクトに折り畳むことがで可能であり、効率的な搬送作業が行える。
【符号の説明】
【００５５】
１      床板
１ａ    踏面
２      支柱
３      横桟
３ａ    上桟
３ｂ    中桟
３ｃ    蹴り板
４      枢軸
５      軸部
５ａ    軸芯
６      連接棒
７      カウンターウエイト
８      ストッパー
９      脚部
１０    固定装置
１０ａ  柱体
１０ｂ  連係ロッド
１０ｃ  ブラケット
１０ｄ  連結ピン（閂）
１０ｅ  プッシュプルケーブル
１１    固定装置
１１ａ  柱体
１１ｂ  連係ロッド
１１ｃ  ブラケット
１１ｄ  連結ピン（閂）
１１ｅ  プッシュプルケーブル
１２    インジケーター
１３    ケーブル
１４    ケーブル
【図１】
0005782915.tif 000002
【図２】
0005782915.tif 000003
【図３】
0005782915.tif 000004
【図４】
0005782915.tif 000005
【図５】
0005782915.tif 000006
【図６】
0005782915.tif 000007
【図７】
0005782915.tif 000008
【図８】
0005782915.tif 000009